(57)【要約】【課題】落下防止板部材を固定して、仮設足場の足場板から物品が落下することを効果的に防止し、しかも、足場板から作業者が滑落することをも効果的に防止することを可能にする落下防止板部材取り付け用治具を提供すること。【解決手段】全体としてＵ字形状を呈する抱持部材Ｊｈと、抱持部材Ｊｈの各遊端部に、その延長方向に延びるように一体的に連結された固定部材Ｊｆと、抱持部材Ｊｈの一方の遊端寄り所定位置に回転可能に連結され、かつ抱持部材Ｊｈの他方の遊端寄り所定位置に係脱可能に係合される状態選択部材Ｊｓとを有している。【選択図】図４
2011038342.tif 000002
【特許請求の範囲】
【請求項１】
足場建地（ａｔ）を抱持する抱持部材（Ｊｈ）と、抱持部材（Ｊｈ）の遊端部に連結され、かつ足場板（ａｐ）の端縁部に対応させて支持される落下防止板部材（ｒｐ）を固定するための固定部材（Ｊｆ）と、抱持部材（Ｊｈ）の遊端寄り所定位置に設けられ、足場建地（ａｔ）を抱持する状態と足場建地（ａｔ）に対する挿脱を許容する状態を選択する状態選択部材（Ｊｓ）とを有することを特徴とする落下防止板部材取り付け用治具。
【請求項２】
足場建地（ａｔ）は、丸管部材もしくは円柱部材を主体とするものであり、抱持部材（Ｊｈ）は、全体としてＵ字形状を有するものであることを特徴とする請求項１に記載の落下防止板部材取り付け用治具。
【請求項３】
固定部材（Ｊｆ）は、抱持部材（Ｊｈ）の遊端部に一体的に連結されたものであり、かつ落下防止板部材（ｒｐ）を挟み込むものであることを特徴とする請求項１または請求項２に記載の落下防止板部材取り付け用治具。
【請求項４】
固定部材（Ｊｆ）は、落下防止板部材（ｒｐ）を上方から挟み込むものであることを特徴とする請求項３に記載の落下防止板部材取り付け用治具。
【請求項５】
状態選択部材（Ｊｓ）は、抱持部材（Ｊｈ）の一方の遊端寄り所定位置に回転可能に連結され、かつ抱持部材（Ｊｈ）の他方の遊端寄り所定位置に係脱可能に係合されるものであることを特徴とする請求項１から請求項４の何れかに記載の落下防止板部材取り付け用治具。
【請求項６】
複数の足場建地（ａｔ）を所定間隔毎に立設してなるとともに、足場建地（ａｔ）によって直接的に、または間接的に足場板（ａｐ）を支持してなる仮説足場において、
請求項１から請求項５の何れかの落下防止板部材取り付け用治具（Ｊ）を、足場建地（ａｔ）を抱持する状態で設けてなり、足場板（ａｐ）の端縁部に対応させて落下防止板部材（ｒｐ）を支持してなり、落下防止板部材（ｒｐ）を落下防止板部材取り付け用治具（Ｊ）により固定してなることを特徴とする仮設足場。
【発明の詳細な説明】
【技術分野】
【０００１】
本発明は、仮設足場からの墜落災害等を防止するために落下防止板部材を取り付けるための落下防止板部材取り付け用治具及びこの落下防止板部材取り付け用治具を用いた仮設足場に関する。
【背景技術】
【０００２】
従来から、仮設足場が各種の建築現場で組み立てられ、使用されている。
このような仮設足場は、所定間隔毎に足場建地を立設し、足場建地間に足場板を支持し、必要に応じて交さ筋かいを設けて組み立て強度を高めた構成である。
【０００３】
例えば、特許文献１に記載されたように、１対の足場建地を一体的に連結してなる建て枠を互いに対向配置し、これら建て枠同士を足場板で連結し、しかも、建て枠同士の間に手すりを水平に架け渡してなる構成の仮設足場が提案されている。
このような仮設足場を採用すれば、足場板に乗った状態で必要な建築作業を行うことができ、しかも、手すりによって作業者の安全性を向上させることができる。
しかし、特許文献１に記載された発明では、改正された労働安全衛生規則に規定する要件を満たすことができない。
【０００４】
具体的には、改正された労働安全衛生規則においては、
足場からの墜落防止措置等の充実を図るため、作業床についての墜落防止措置として、
（１）わく組足場にあっては、交さ筋かい及び下さん等又は手すりわくを設けること。
（２）わく組足場以外の足場にあっては、手すり等及び中さん等を設けること。
（３）作業のため物体が落下することによる危険のあるときは、高さ１０ｃｍ以上の幅木等を設けること。
これに併せて、仮設通路についての墜落防止措置、作業構台の墜落防止措置等について所要の改正を行うこと。
が規定されている。
【０００５】
しかし、特許文献１に記載された発明では、手すりを設ける点で改正された労働安全衛生規則の一部の要件を満たしているけれども、不十分であり、十分な安全性を確保できているとは到底いえないものであった。
【０００６】
このような点を考慮して、例えば（３）の要件を満たそうとすれば、高さ１０ｃｍ以上の板状部材を紐状のもので足場建地に結びつけて固定し、又はクランプ等のボルト式の固定治具を用いて足場建地に固定することが考えられる。
しかし、何れの固定方法を採用した場合であっても、固定、取り外しに手間がかかるのみならず、コストが嵩んでしまう。
【先行技術文献】
【特許文献】
【０００７】
【特許文献１】特開２００８−１５７０２２号公報
【発明の概要】
【発明が解決しようとする課題】
【０００８】
本発明が解決しようとする課題は、以下の通りである。
○本発明が解決しようとする第１課題
落下防止板部材を固定して、仮設足場の足場板から物品が落下することを効果的に防止し、しかも、足場板から作業者が滑落することをも効果的に防止することを可能にする落下防止板部材取り付け用治具を提供することである。
【０００９】
○本発明が解決しようとする第２課題
丸管部材もしくは円柱部材を主体とする足場建地を用いた架設足場に好適に適用することを可能にする落下防止板部材取り付け用治具を提供することである。
【００１０】
○本発明が解決しようとする第３課題
落下防止板部材を簡単に、かつ確実に固定することを可能にする落下防止板部材取り付け用治具を提供することである。
○本発明が解決しようとする第４課題
落下防止板部材を簡単に、かつ確実に固定することを可能にし、しかも固定作業を簡単化する落下防止板部材取り付け用治具を提供することである。
【００１１】
○本発明が解決しようとする第５課題
簡単な構成でありながら、足場建地を抱持する状態と足場建地に対する挿脱を許容する状態を簡単に、かつ確実に選択することを可能にする落下防止板部材取り付け用治具を提供することである。
○本発明が解決しようとする第６課題
落下防止板部材を固定して、仮設足場の足場板から物品が落下することを効果的に防止し、しかも、足場板から作業者が滑落することをも効果的に防止することができる仮設足場を提供することである。
【課題を解決するための手段】
【００１２】
課題を解決するための手段は、本願の[特許請求の範囲]の各請求項に記載の発明である。
特許請求の範囲、明細書、図面等の用語の解釈上の疑義を解消すべく、以下、用語の説明を行うこととする。
＜用語の説明＞
○仮設足場とは、高い所で工事をする時、足がかりのため、仮に丸太、鉄材等で組み立てる構造物をいう。
【００１３】
○足場建地とは、仮設足場に使われる柱部材をいい、丸管部材を主体とするもの、円柱部材を主体とするものなどが例示できる。
○足場板は、足場建地により支持される板部材であり、高い所で作業する作業者の足場となるものである。
○抱持部材は、足場建地を抱き込む状態で取り付けられる部材であり、丸管部材もしくは円柱部材を主体とする足場建地に対応させる場合には、Ｕ字形状を有する部材であることが好ましい。
【００１４】
○落下防止板部材とは、足場板の端縁部に対応させて支持されて、作業者の滑落、物品の落下を防止する部材であり、幅木と呼ばれることもある。もちろん、抜き板を落下防止板部材として採用することも可能である。この場合には、わざわざ落下防止板部材を準備する必要がなくなる。
○固定部材とは、抱持部材の遊端部に連結されたものであって、かつ足場板の端縁部に支持される落下防止板部材を固定することができるものであればよく、種々の構成のものが採用可能である。ただし、抱持部材の遊端部に一体的に連結されたものであって、かつ足場板の端縁部に支持される落下防止板部材を挟み込んで固定するものであることが好ましく、落下防止板部材を上方から挟み込んで固定するものであることがより好ましい。
【００１５】
○状態選択部材とは、抱持部材の遊端寄り所定位置に設けられたものであって、足場建地を抱持する状態と足場建地に対する挿脱を許容する状態を選択することができるものであればよく、種々の構成のものが採用可能である。ただし、抱持部材の一方の遊端寄り所定位置に回転可能に連結され、かつ抱持部材の他方の遊端寄り所定位置に係脱可能に係合されるものであることが好ましい。
○「足場板の端縁部に対応させて支持される」とは、足場板の端縁部に直接に支持されている場合のみならず、足場板を支持し、かつ足場建地同士を連結する連結部材によって、足場板の端縁部に近接する位置で支持されている場合を含んでいる。
【００１６】
本発明者は、上記の従来技術が有する各種の問題点に鑑み、鋭意研究を重ねて、本発明を完成した。
本発明者が、本発明が解決しようとする課題の重要性に気付く契機となったのは、従来技術の欠点を生じる最大の原因が、仮設足場に落下防止板部材を組み込む必要性に気付いていなかったことである。
また、短時間で、かつ簡単な作業で落下防止板部材を組み込む必要性に気付いていなかったことである。
【００１７】
本発明者は、短時間で、かつ簡単な作業で落下防止板部材を仮設足場に組み込むことができるものはないかと種々検討・模索を重ねて、本発明を完成した。
課題を解決するための手段は、本願の特許請求の範囲の各請求項に記載の発明であり、その具体的な解決手段は、以下の通りである。
【００１８】
○第１の発明（請求項１に記載の発明）
上記の課題を解決するための第１の発明（請求項１に記載の発明）は、
足場建地を抱持する抱持部材と、抱持部材の遊端部に連結され、かつ足場板の端縁部に対応させて支持される落下防止板部材を固定するための固定部材と、抱持部材の遊端寄り所定位置に設けられ、足場建地を抱持する状態と足場建地に対する挿脱を許容する状態を選択する状態選択部材とを有することを特徴とする落下防止板部材取り付け用治具である。
第１の発明であれば、抱持部材を足場建地を抱持するように取り付け、抱持部材の遊端部に連結された固定部材により落下防止板部材を固定し、状態選択部材によって足場建地を抱持する状態を選択することによって、落下防止板部材を足場に取り付けることができる。
これにより、作業者の安全性の向上、物品が落下するおそれの大幅な低減を達成することができる。
また、状態選択部材によって足場建地に対する挿脱を許容する状態を選択し、固定部材による落下防止板部材の固定を外し、抱持部材を足場建地から外すことによって、足場の解体に対処することができる。
【００１９】
○第２の発明（請求項２に記載の発明）
上記の課題を解決するための第２の発明（請求項２に記載の発明）は、
足場建地は、丸管部材もしくは円柱部材を主体とするものであり、抱持部材は、全体としてＵ字形状を有するものであることを特徴とする請求項１に記載の落下防止板部材取り付け用治具である。
請求項２の発明であれば、抱持部材が全体としてＵ字形状を有するのであるから、丸管部材もしくは円柱部材を主体とする足場建地にフィットした状態で抱持することができる。
【００２０】
○第３の発明（請求項３に記載の発明）
上記の課題を解決するための第３の発明（請求項３に記載の発明）は、
固定部材は、抱持部材の遊端部に一体的に連結されたものであり、かつ落下防止板部材を挟み込むものであることを特徴とする請求項１または請求項２に記載の落下防止板部材取り付け用治具である。
請求項３の発明であれば、足場建地を抱持するように抱持部材を取り付けた状態で固定部材により落下防止板部材を挟み込むことによって、簡単に、かつ短時間で落下防止板部材を足場に取り付けることができる。
【００２１】
○第４の発明（請求項４に記載の発明）
上記の課題を解決するための第４の発明（請求項４に記載の発明）は、
固定部材は、落下防止板部材を上方から挟み込むものであることを特徴とする請求項３に記載の落下防止板部材取り付け用治具である。
請求項４の発明であれば、足場建地を抱持するように抱持部材を取り付けた状態で固定部材により落下防止板部材を上方から挟み込むことによって、より簡単に、かつ短時間で落下防止板部材を足場に取り付けることができる。
【００２２】
○第５の発明（請求項５に記載の発明）
上記の課題を解決するための第５の発明（請求項５に記載の発明）は、
状態選択部材は、抱持部材の一方の遊端寄り所定位置に回転可能に連結され、かつ抱持部材の他方の遊端寄り所定位置に係脱可能に係合されるものであることを特徴とする請求項１から請求項４の何れかに記載の落下防止板部材取り付け用治具である。
請求項５の発明であれば、状態選択部材を抱持部材の他方の遊端寄り所定位置に係合させることによって、足場建地を抱持する状態を選択することができ、状態選択部材を抱持部材の他方の遊端寄り所定位置から係脱させることによって、足場建地に対する挿脱を許容する状態を選択することができる。
○第６の発明（請求項６に記載の発明）
上記の課題を解決するための第６の発明（請求項６に記載の発明）は、
複数の足場建地を所定間隔毎に立設してなるとともに、足場建地によって直接的に、または間接的に足場板を支持してなる仮説足場において、
請求項１から請求項５の何れかの落下防止板部材取り付け用治具を、足場建地を抱持する状態で設けてなり、足場板の端縁部に対応させて落下防止板部材を支持してなり、落下防止板部材を落下防止板部材取り付け用治具により固定してなることを特徴とする仮設足場である。
請求項６の発明であれば、落下防止板部材取り付け用治具を用いて落下防止板部材を足場板の端縁部に対応させて固定しているので、作業者の安全性の向上、物品が落下するおそれの大幅な低減を達成することができる。
【発明の効果】
【００２３】
本発明に係る落下防止板部材取り付け用治具は、上記のような特徴的構成要件から構成され、特徴的構成要件に応じた、以下のような本願発明特有の効果を奏する。
また、上記のような特徴的構成要件から構成された落下防止板部材取り付け用治具によれば、本願発明の課題を解決することができた。
○第１の発明の効果
第１の発明によれば、足場建地を抱持する抱持部材と、抱持部材の遊端部に連結され、かつ足場板の端縁部に対応させて支持される落下防止板部材を固定するための固定部材と、抱持部材の遊端寄り所定位置に設けられ、足場建地を抱持する状態と足場建地に対する挿脱を許容する状態を選択する状態選択部材とを有するという特徴的な構成要件により、
落下防止板部材を固定して、仮設足場の足場板から物品が落下することを効果的に防止し、しかも、足場板から作業者が滑落することをも効果的に防止することを可能にする落下防止板部材取り付け用治具を提供することができた。
すなわち、本発明が解決しようとする第１課題を達成することができ、当業者予測不可能な顕著な効果を奏することができた。
【００２４】
○第２の発明の効果
第２の発明によれば、足場建地は、丸管部材もしくは円柱部材を主体とするものであり、抱持部材は、全体としてＵ字形状を有するものであるという特徴的な構成要件により、
丸管部材もしくは円柱部材を主体とする足場建地を用いた架設足場に好適に適用することを可能にする落下防止板部材取り付け用治具を提供することができた。
すなわち、本発明が解決しようとする第２課題を達成することができ、当業者予測不可能な顕著な効果を奏することができた。
○第３の発明の効果
第３の発明によれば、固定部材は、抱持部材の遊端部に一体的に連結されたものであり、かつ落下防止板部材を挟み込むものであるという特徴的な構成要件により、
落下防止板部材を簡単に、かつ確実に固定することを可能にする落下防止板部材取り付け用治具を提供することができた。
すなわち、本発明が解決しようとする第３課題を達成することができ、当業者予測不可能な顕著な効果を奏することができた。
【００２５】
○第４の発明の効果
第４の発明によれば、固定部材は、落下防止板部材を上方から挟み込むものであるという特徴的な構成要件により、
落下防止板部材を簡単に、かつ確実に固定することを可能にし、しかも固定作業を簡単化する落下防止板部材取り付け用治具を提供することができた。
すなわち、本発明が解決しようとする第４課題を達成することができ、当業者予測不可能な顕著な効果を奏することができた。
○第５の発明の効果
第５の発明によれば、状態選択部材は、抱持部材の一方の遊端寄り所定位置に回転可能に連結され、かつ抱持部材の他方の遊端寄り所定位置に係脱可能に係合されるものであるという特徴的な構成要件により、
簡単な構成でありながら、足場建地を抱持する状態と足場建地に対する挿脱を許容する状態を簡単に、かつ確実に選択することを可能にする落下防止板部材取り付け用治具を提供することができた。
すなわち、本発明が解決しようとする第５課題を達成することができ、当業者予測不可能な顕著な効果を奏することができた。
○第６の発明の効果
第６の発明によれば、
複数の足場建地を所定間隔毎に立設してなるとともに、足場建地によって直接的に、または間接的に足場板を支持してなる仮説足場において、
請求項１から請求項５の何れかの落下防止板部材取り付け用治具を、足場建地を抱持する状態で設けてなり、足場板の端縁部に対応させて落下防止板部材を支持してなり、落下防止板部材を落下防止板部材取り付け用治具により固定してなるという特徴的な構成要件により、
作業者の安全性の向上、物品が落下するおそれの大幅な低減を達成することができる仮設足場を提供することができた。
すなわち、本発明が解決しようとする第６課題を達成することができ、当業者予測不可能な顕著な効果を奏することができた。
【図面の簡単な説明】
【００２６】
【図１】本発明の落下防止板部材取り付け用治具の一実施形態を示す平面図である。
【図２】本発明の落下防止板部材取り付け用治具の一実施形態を示す側面図である。
【図３】本発明の落下防止板部材取り付け用治具の一実施形態を示す正面図である。
【図４】本発明の落下防止板部材取り付け用治具の一実施形態の使用状態（本発明の仮設足場の一実施形態）を示す概略斜視図である。
【発明を実施するための形態】
【００２７】
以下、添付図面を参照して、本発明の落下防止板部材取り付け用治具及び仮設足場の実施形態を詳細に説明する。
第１の発明の落下防止板部材取り付け用治具Ｊは、足場建地ａｔを抱持する抱持部材Ｊｈと、抱持部材Ｊｈの遊端部に連結され、かつ足場板ａｐの端縁部に対応させて支持される落下防止板部材ｒｐを固定するための固定部材Ｊｆと、抱持部材Ｊｈの遊端寄り所定位置に設けられ、足場建地ａｔを抱持する状態と足場建地ａｔに対する挿脱を許容する状態を選択する状態選択部材Ｊｓとを有していることを特徴としている。
第２の発明の落下防止板部材取り付け用治具Ｊは、足場建地ａｔが、丸管部材もしくは円柱部材を主体とするものであり、抱持部材Ｊｈが、全体としてＵ字形状を有するものであることを特徴としている。
【００２８】
第３の発明の落下防止板部材取り付け用治具Ｊは、固定部材Ｊｆが、抱持部材Ｊｈの遊端部に一体的に連結されたものであり、かつ落下防止板部材ｒｐを挟み込むものであることを特徴としている。
第４の発明の落下防止板部材取り付け用治具Ｊは、固定部材Ｊｆが、落下防止板部材を上方から挟み込むものであることを特徴としている。
【００２９】
第５の発明の落下防止板部材取り付け用治具Ｊは、状態選択部材Ｊｓが、抱持部材Ｊｈの一方の遊端寄り所定位置に回転可能に連結され、かつ抱持部材Ｊｈの他方の遊端寄り所定位置に係脱可能に係合されるものであることを特徴としている。
第６の発明の仮設足場は、複数の足場建地を所定間隔毎に立設してなるとともに、足場建地によって直接的に、または間接的に足場板を支持してなる仮説足場において、
請求項１から請求項５の何れかの落下防止板部材取り付け用治具を、足場建地を抱持する状態で設けてなり、足場板の端縁部に対応させて落下防止板部材を支持してなり、落下防止板部材を落下防止板部材取り付け用治具により固定してなるものであることを特徴としている。
[図１]は、本発明の落下防止板部材取り付け用治具の一実施形態を示す平面図である。
[図２]は、本発明の落下防止板部材取り付け用治具の一実施形態を示す側面図である。
[図３]は、本発明の落下防止板部材取り付け用治具の一実施形態を示す正面図である。
[図４]は、本発明の落下防止板部材取り付け用治具の一実施形態の使用状態（本発明の仮設足場の一実施形態）を示す概略斜視図である。
【００３０】
この落下防止板部材取り付け用治具Ｊは、全体としてＵ字形状を呈する抱持部材Ｊｈと、抱持部材Ｊｈの各遊端部に、その延長方向に延びるように一体的に連結された固定部材Ｊｆと、抱持部材Ｊｈの一方の遊端寄り所定位置に回転可能に連結され、かつ抱持部材Ｊｈの他方の遊端寄り所定位置に係脱可能に係合される状態選択部材Ｊｓとを有している。
固定部材Ｊｆは、抱持部材Ｊｈの延長方向に延びる主体部Ｊｆ１と、主体部Ｊｆ１の所定位置から下向きに延びる３本の挟み込み用棒状部材Ｊｆ２とを有している。したがって、隣り合う１対の挟み込み用棒状部材Ｊｆ２によって、落下防止板部材（幅木、抜き板等）ｒｐを挟み込んで固定することができる。
【００３１】
状態選択部材Ｊｓは、抱持部材Ｊｈの一方の遊端寄り所定位置に回転可能に連結され、かつ外形が六角柱形状を有する回転部材Ｊｓ１と、抱持部材Ｊｈの遊端部と直交する方向に延びる回転腕部材Ｊｓ２と、回転腕部材Ｊｓ２の先端部を折り曲げ状に形成することによって抱持部材Ｊｈの他方の遊端寄り所定位置に係脱可能に係合される係合部材Ｊｓ３とを有している。
ここで、回転部材Ｊｓ１として六角柱形状のナットを採用することが可能である。
【００３２】
次いで、図４を参照して、落下防止板部材取り付け用治具Ｊによる落下防止板部材ｒｐの固定作業を説明する。
先ず、係合部材Ｊｓ３が抱持部材Ｊｈの他方の遊端寄り所定位置から係脱するように回転腕部材Ｊｓ２を回動させ、抱持部材Ｊｈの遊端部同士の間を大きく開放しておく。
この状態で、足場建地ａｔが固定部材Ｊｆ同士の間を通り、さらに抱持部材Ｊｈの遊端部同士の間を通り、抱持部材Ｊｈの内奥部に抱持されるように、抱持部材Ｊｈを水平方向に移動させる。
なお、この作業を行う場合には、抱持部材Ｊｈの上下方向の位置は、足場板ａｐの端縁部に対応させて支持された落下防止板部材ｒｐよりも上方となるように設定される。ここで、足場板ａｐは、間接的に足場建地ａｔにより支持されている。具体的には、足場建地ａｐ同士を連結する連結部材ｒｍにより支持されている。ただし、足場板ａｐは、直接的に足場建地ａｔにより支持されていてもよい。
【００３３】
その後、１対の固定部材Ｊｆが落下防止板部材ｒｐの直上に位置するように抱持部材Ｊｈを、足場建地ａｔを基準として回転させ、次いで、抱持部材Ｊｈを下降させることにより、両固定部材Ｊｆの隣り合う１対の挟み込み用棒状部材Ｊｆ２によって、落下防止板部材ｒｐを挟み込んで固定することができる。ここで、落下防止板部材ｒｐは、連結部材ｒｍにより支持されているが、足場板ａｐの端縁部に直接に支持されていてもよい。
そして、係合部材Ｊｓ３が抱持部材Ｊｈの他方の遊端寄り所定位置と係合するように回転腕部材Ｊｓ２を回動させ、抱持部材Ｊｈの遊端部同士の間を閉じる。
この状態においては、足場建地ａｔが抱持部材Ｊｈ及び状態選択部材Ｊｓによって抱持された状態となるので、落下防止板部材取り付け用治具Ｊが足場建地ａｔに対して水平方向にスライドして位置ずれすることがなくなる。
【００３４】
そして、１対の固定部材Ｊｆの、それぞれの隣り合う１対の挟み込み用棒状部材Ｊｆ２によって、落下防止板部材ｒｐを挟み込んで固定しているので、結果的に、落下防止板部材ｒｐを足場建地ａｔに対して固定することが可能となる。
なお、以上の説明は、１本の足場建地ａｔについてのものであるから、落下防止板部材取り付け用治具Ｊが足場建地ａｔを基準として回転すると思われるかもしれない。しかし、実際の足場においては、足場建地ａｔは複数本存在し、各足場建地ａｔに対して落下防止板部材取り付け用治具Ｊが装着され、２つ以上の落下防止板部材取り付け用治具Ｊによって落下防止板部材ｒｐを挟み込んで固定するのであるから、落下防止板部材取り付け用治具Ｊが回転するおそれは全くない。
したがって、簡単な作業で、落下防止板部材ｒｐを確実に固定することができる。
また、足場を解体する場合には、上記と逆の作業を行うことによって、落下防止板部材ｒｐの固定を解除することができる。
上記の構成の落下防止板部材取り付け用治具において、構成各部のサイズは全く言及していないが、適用される足場の各部の寸法に合わせて最適なサイズに設定することはもちろんである。
【符号の説明】
【００３５】
Ｊ      落下防止板部材取り付け用治具
Ｊｈ    抱持部材
Ｊｆ    固定部材
Ｊｆ１  主体部
Ｊｆ２  挟み込み用棒状部材
Ｊｓ    状態選択部材
Ｊｓ１  回転部材
Ｊｓ２  回転腕部材
Ｊｓ３  係合部材
【図１】
2011038342.tif 000003
【図２】
2011038342.tif 000004
【図３】
2011038342.tif 000005
【図４】
2011038342.tif 000006